(57)【要約】【課題】隠し板を取り外すことなく衛生洗浄装置の取付や取り外しを可能とした衛生洗浄装置を提供する。【解決手段】給水配管に接続される連結部と、前記連結部を介して供給される水を吐水する吐水ノズルと、を有する本体部と、前記本体部に対して回動可能に軸支された便座と、を備え、前記連結部は、前記給水配管の接続方向が略鉛直な回動軸の回りに回動可能とされたことを特徴とする衛生洗浄装置を提供する。【選択図】図４
2008285836.tif 000002
【特許請求の範囲】
【請求項１】
給水配管に接続される連結部と、前記連結部を介して供給される水を吐水する吐水ノズルと、を有する本体部と、
前記本体部に対して回動可能に軸支された便座と、
を備え、
前記連結部は、前記給水配管の接続方向が略鉛直な回動軸の回りに回動可能とされたことを特徴とする衛生洗浄装置。
【請求項２】
前記接続方向が、前記本体部の横方向と、前記本体部の後方と、の間で回動可能とされたことを特徴とする請求項１記載の衛生洗浄装置。
【請求項３】
前記本体部の後方は、前記本体部の着脱方向よりも前記横方向に傾斜した方向であることを特徴とする請求項２記載の衛生洗浄装置。
【請求項４】
前記連結部は、前記本体部の底面よりも高い位置において前記回動可能とされたことを特徴とする請求項１〜３のいずれか１つに記載の衛生洗浄装置。
【請求項５】
前記連結部が前記回動することにより、前記連結部に接続された前記給水配管が前記本体部から横方向に突出した状態と、突出しない状態と、の間で変更可能とされたことを特徴とする請求項１〜４のいずれか１つに記載の衛生洗浄装置。
【請求項６】
前記連結部が前記回動することにより、前記連結部が前記本体部から横方向に突出した状態と、突出しない状態と、との間で変更可能とされたことを特徴とする請求項１〜５のいずれか１つに記載の衛生洗浄装置。
【請求項７】
前記連結部は、前記吐水ノズルの側から前記給水配管の側に向けて落下するように傾斜した流路を有することを特徴とする請求項１〜６のいずれか１つに記載の衛生洗浄装置。
【請求項８】
前記本体部の背面から導出された電気配線をさらに備えたことを特徴とする請求項１〜７のいずれか１つに記載の衛生洗浄装置。
【発明の詳細な説明】
【技術分野】
【０００１】
本発明は、衛生洗浄装置に関し、より具体的には、腰掛便器に座った使用者の「おしり」などを水で洗浄する衛生洗浄装置に関する。
【背景技術】
【０００２】
衛生洗浄装置は、洗浄水を噴射する吐水ノズルを進退自在に収容し、腰掛便器に付設して、便座に座った使用者の「おしり」などを洗浄することができる。このような衛生洗浄装置の給水配管や、衛生洗浄装置の本体の一部をキャビネットに埋め込んで、見栄えをすっきりとさせたり、床面積の狭いトイレにも設置可能としたトイレユニットが開示されている（例えば、特許文献１及び２）。
【０００３】
特許文献１に開示されているトイレユニットは、大便器及び衛生洗浄装置を設置した後に、給水配管や衛生洗浄装置の一部を隠蔽する隠し板を取り付けるという手順で施工を行う。従って、給水配管のメンテナンスを行う場合には、まず隠し板を取り外し、その後、衛生洗浄装置を取り外して、メンテナンスを行う必要がある。
【特許文献１】特開２００５−１２０６３９号公報
【特許文献２】特開２０００−１０４３２２号公報
【発明の開示】
【発明が解決しようとする課題】
【０００４】
隠し板によって衛生洗浄装置の少なくとも一部を隠蔽する場合であっても、隠し板を取り外すことなく衛生洗浄装置の取付や取り外しが可能となると、施工やメンテナンスが容易となる。このことは、例えば航空機のラバトリーの大便器を隠蔽する隠蔽パネル（隠し板）に衛生洗浄装置を取り付ける場合についても同様である。  
本発明は、かかる観点からなされたものであり、隠し板を取り外すことなく衛生洗浄装置に給水する給水配管のメンテナンスを行うことを可能とした衛生洗浄装置を提供するものである。
【課題を解決するための手段】
【０００５】
本発明の一態様によれば、給水配管に接続される連結部と、前記連結部を介して供給される水を吐水する吐水ノズルと、を有する本体部と、前記本体部に対して回動可能に軸支された便座と、を備え、前記連結部は、前記給水配管の接続方向が略鉛直な回動軸の回りに回動可能とされたことを特徴とする衛生洗浄装置が提供される。
【発明の効果】
【０００６】
本発明によれば、隠し板を取り外すことなく衛生洗浄装置の取付や取り外しを可能とした衛生洗浄装置を提供できる。
【発明を実施するための最良の形態】
【０００７】
以下、図面を参照しつつ本発明の実施の形態について説明する。  
図１は、本発明の実施の形態にかかる衛生洗浄装置が取り付けられたトイレユニットの模式斜視図である。  
また、図２及び図３は、このトイレユニットから衛生洗浄装置を取り外した状態を表す模式斜視図である。  
また、図４は、本実施形態の衛生洗浄装置に接続される給水配管が連結される連結部を斜め後方から眺めた模式図である。なお、図２以降の各図については、既出の図面に表された要素と同様の要素には同一の符号を付して詳細な説明は適宜省略する。
【０００８】
図１〜図３に例示したトイレユニットは、例えば航空機のラバトリーなどに設けられるトイレユニットである。隠蔽パネル（「シュラウド」と呼ばれることもある）５００の開口には、便器６００のボウルが露出している。そして、その上部後方に衛生洗浄装置１００が取り付けられている。衛生洗浄装置１００は、本体部２００と、この本体部２００に回動可能にそれぞれ軸支された便座１１０及び便蓋１２０と、を有する。本体部２００には、吐水ノズル２６２が便器６００のボウルに進出可能に設けられている。吐水ノズル２６２はその先端から水を噴射し、便座１１０に座った使用者の「おしり」などを洗浄する。なお、本願明細書において「水」という時は、冷水のみならず温水も含むものとする。
【０００９】
図２及び図３に表したように、隠蔽パネル５００には、衛生洗浄装置１００を収容する凹部５３０が設けられている。また、凹部５３０の中央下方には、バキュームブレーカー６１０が突出する開口５２０が設けられている。また、凹部５３０の側部下方には、衛生洗浄装置１００に接続される給水配管２９５（図４参照）や電気配線などを通すための開口５７０が設けられている。一方、凹部５３０の上には、衛生洗浄装置１００の本体部２００の上部を固定するための一対の挿入穴５４０が適宜設けられている。  
図３に表したように、衛生洗浄装置１００の本体部２００の後方には、隠蔽パネル５００の凹部５３０に収容される収納部２０６が設けられている。収納部２０６よりも前方には、収納部２０６よりも周囲にはりだした周縁部２０８が設けられている。
【００１０】
図１に表したように、衛生洗浄装置１００を取り付けた状態において、隠蔽パネル５００の挿入穴５４０や、凹部５３０と収納部２０６との隙間などは、衛生洗浄装置１００の周縁部２０８により隠蔽されている。その結果として、隠蔽パネル５００の前面に衛生洗浄装置１００が密接して設けられ、すっきりとした外観が得られている。
【００１１】
そして、本実施形態においては、図４に表したように、衛生洗浄装置１００の本体部２００の外部に、連結部２９６が設けられている。なお、図４は、本体部２００を分解してそのケースプレート２１０の部分のみを表す。連結部２９６には給水配管２９５が接続され、外部から水が供給される。そして、連結部２９６は、給水配管２９５の接続方向２９６Ｓが略鉛直な回動軸２９６Ｒの回りに回動可能とされている。具体的には、給水配管２９５の接続方向２９６Ｓが、略水平面内において略９０度の範囲で回動可能とされている。すなわち、連結部２９６は、その先端が横方向を向いた状態と、後方を向いた状態と、の間で回動可能とされている。このように連結部２９６を回動可能とすることにより、隠蔽パネル５００への衛生洗浄装置１００の着脱が容易となり、施工やメンテナンスの際の作業性がよい衛生洗浄装置を提供できる。
【００１２】
図５及び図６は、隠蔽パネル５００に衛生洗浄装置１００を取り付ける工程を例示した概念図である。  
図５（ａ）〜（ｃ）は、衛生洗浄装置１００の本体部２００を隠蔽パネル５００の凹部５３０に収納する工程を表している。図５（ａ）に表したように、衛生洗浄装置１００の連結部２９６が本体部２００から横方向に突出した状態で矢印Ａの方向に収納しようとしても、連結部２９６が隠蔽パネル５００の前面に当たってしまい、凹部５３０の中に収納することはできない。
【００１３】
一方、図５（ｂ）に表したように、連結部２９６を後方に向けた状態にすると、本体部２００を凹部５３０の中に侵入させることはできる。しかし、隠蔽パネル５００の背後には、壁面やその他の障害物９００が存在する場合が多い。例えば、航空機のラバトリーの場合には、設置スペースが限られているので、隠蔽パネル５００の背後には、壁面が存在することが多い。このような場合に、図５（ｂ）に表したように連結部２９６を後方に向けたままで矢印Ａの方向に本体部２００を挿入しようとすると、連結部２９６またはこれに接続される給水配管２９５が障害物９００と干渉してしまう。一般的に、給水配管２９５は、鋭角に折り曲げることは困難であり、比較的大きな曲率半径で曲げる必要がある。このため、隠蔽パネル５００の背後に障害物９００が存在する場合には、図５（ｂ）のように連結部２９６を後方に向けたままの状態で衛生洗浄装置１００の本体部２００を凹部５３０の奥まで押し込むことが困難となる場合が多い。
【００１４】
一方、図５（ｃ）に表したように、連結部２９６を下方に向けた状態とした場合には、便器６００（あるいは便器６００を覆う隠蔽パネル５００）と干渉してしまう。このため、本体部２００を凹部５３０の中に挿入することは、やはり困難となる。
【００１５】
これに対して、本実施形態によれば、まず、図６（ａ）に表したように、連結部２９６を後方に向けた状態で、凹部５３０の中への本体部２００の侵入を開始させる。本体部２００を矢印Ａの方向に侵入させていくと、連結部２９６またはこれに接続された給水配管２９５（図４参照）が障害物９００に当接し、図６（ｂ）に表したように、連結部２９６を矢印Ｒの方向に回動する。本体部２００を矢印Ａの方向にさらに侵入させると、連結部２９６は矢印Ｒの方向にさらに回動し、図６（ｃ）に表したように、本体部２００を凹部５３０の中に挿入することができる。この時、連結部２９６は、障害物９００との位置関係に応じて図６（ｃ）に表したように横方向を向いた状態まで回動することができる。その結果として、連結部２９６やこれに接続された給水配管２９５に無理な力がかかったり、無理に折れ曲がったりすることがなく、衛生洗浄装置１００を所定の位置に取り付けることができる。そして、衛生洗浄装置１００を取り付けた状態で、給水配管２９５は隠蔽パネル５００により隠蔽されている。
【００１６】
また、衛生洗浄装置１００を取り外す際にも、一連の動作を逆の順序に実行すればよい。この場合にも、連結部２９６が横方向から後方に向けて適宜回動することにより、連結部２９６及びこれに接続された給水配管２９５は、隠蔽パネル５００にじゃまされずに本体部２００とともに引き抜くことができる。
【００１７】
以上説明したように、本実施形態によれば、連結部２９６が横方向と後方との間で回動可能とすることにより、隠蔽パネル５００を取り外すことなく衛生洗浄装置１００を容易に着脱することができる。その結果として、給水配管２９５の取付施工やメンテナンスの作業を円滑に短時間で進めることができる。特に、限られたスペースに設けられたトイレユニットの場合には、隠蔽パネル５００の背後に壁面などの障害物が存在する場合が多いが、本実施形態によれば、このような場合にも、隠蔽パネル５００を取り外すことなく衛生洗浄装置１００の着脱ができ、幅広い用途に使いやすいトイレユニットを提供することが可能となる。
【００１８】
以下、本実施形態のトイレユニット及び衛生洗浄装置について、さらに詳細に説明する。  図７は、隠蔽パネル５００の斜視図である。隠蔽パネル５００は、板状の成型体であり、便器のボウル面が露出する開口５１０と、バキュームブレーカーが突出する開口５２０が形成されている。また、前述したように、凹部５３０の上には一対の挿入穴５４０が設けられている。さらに、開口５１０の後方には、衛生洗浄装置１００の本体部２００を固定するための一対の固定穴５５０が適宜設けられている。そして、衛生洗浄装置の連結部２９６などを通すための開口５７０が設けられている。
【００１９】
図８は、隠蔽パネル５００と便器６００とを分離した状態を表す斜視図である。  
また、図９は、隠蔽パネル５００を便器６００に取り付けた状態を表す斜視図である。  また、図１０は、衛生洗浄装置１００を斜め後方から眺めた模式図である。
【００２０】
図８に表した具体例は、いわゆる真空式のトイレである。真空式の便器６００の後方には、給水配管６２０が接続され、その途中にバキュームブレーカー６１０が設けられている。バキュームブレーカー６１０は、その上端が便器６００の上面よりも高い位置となるように上方に突出している。  
隠蔽パネル５００により便器６００を被覆した状態において、図９に表したように、開口５２０からバキュームブレーカー６１０が突出している。
【００２１】
これに対して、図１０に表したように、本実施形態の衛生洗浄装置１００の本体部２００の底面２０２の後方には、バキュームブレーカー６１０の少なくとも一部が格納される収納凹部２１２が設けられている。このような収納凹部２１２を設けることにより、凹部５３０に突出したバキュームブレーカー６１０と干渉することなく衛生洗浄装置１００を取り付けることができる。
【００２２】
また、図３や図１０などに例示した具体例においては、収納凹部２１２は、本体部２００の底面２０２とともに背面２０４にも露出するように設けられている。このようにすると、衛生洗浄装置１００を隠蔽パネル５００に取り付ける際にも、または隠蔽パネル５００から取り外す際にも、バキュームブレーカー６１０を跨ぐように衛生洗浄装置１００を動かす必要はなく、衛生洗浄装置１００を単に前後にスライドさせるだけでよいので作業がしやすい。従って、例えば、バキュームブレーカー６１０を点検するような場合でも、衛生洗浄装置１００を手前に引き出すだけでバキュームブレーカー６１０を露出させることができ便利である。
【００２３】
図１１は、本実施形態の衛生洗浄装置１００を側面から眺めた模式図である。  
また、図１２は、図１１の一部拡大図である。  
図１３は、本実施形態の衛生洗浄装置１００を背面から眺めた模式図である。  
また、図１４は、図１３の一部拡大図である。  
図１１〜図１４は、連結部２９６の接続方向２９６Ｓが横方向を向いた状態、すなわち衛生洗浄装置１００が隠蔽パネル５００に取り付けられた状態を表す。
【００２４】
本具体例においては、連結部２９６は、本体部２００の底面２０２よりも高い位置において略水平面内に回動可能とされている。このようにすれば、衛生洗浄装置１００の取付または取り外しの際に、連結部２９６やこれに接続された給水配管２９５が、衛生洗浄装置１００の設置面５１５（図９参照）と干渉することがなく、円滑に着脱することができる。
【００２５】
また、図１３及び図１４に表したように、本体部２００の背面２０４の連結部２９６の上方には、電気配線を取り出すための開口２０５が設けられている。このように、本体部２００の背面２０４から電気配線を取り出すことにより、隠蔽パネル５００の凹部５０３に本体部２００を挿入する際に電気配線がじゃまになることはない。
【００２６】
なお、電気配線は、給水配管２９５（図４参照）と比較するとより小さい曲率に曲げることも可能であるので、隠蔽パネル５００の背後に障害物９００（図５、図６参照）が存在するような場合でも、衛生洗浄装置１００の取付の妨げとなることが少ない。このため、図１３及び図１４に例示したように、本体部２００の背面２０４に開口２０５を設け、ここから電気配線を取り出すことにより、衛生洗浄装置１００の着脱を円滑に行うことができる。
【００２７】
図１５（ａ）は、本実施形態の衛生洗浄装置１００を上方から眺めた模式図であり、図１５（ｂ）は、本体部２００の内部の一部拡大図である。  
また、図１６（ａ）も、本実施形態の衛生洗浄装置１００を上方から眺めた模式図であり、図１６（ｂ）は、本体部２００の内部の一部拡大図である。
【００２８】
ここで、図１５は、連結部２９６の接続部２９６Ｓが後方を向いた状態を表し、図１６は、連結部２９６の接続部２９６Ｓが横方向を向いた状態を表す。本体部２００は、ケースプレート２１０とその上に設けられるケースカバー２９０とからなる筐体を有する。ケースプレート２１０の上には、吐水ノズル２６２（図１参照）から吐水させる水を制御する電磁弁などの給水機構２５０が設けられている。そして、回動可能とされた連結部２９６がケースプレート２１０の外部から給水機構２５０に接続され、外部から給水配管２９５（図４参照）を介して供給される水を給水機構２５０に導く。
【００２９】
図１７は、本体部２００を裏面側から眺めた一部拡大図である。  
本具体例においては、ストッパ２９８により連結部２９６の回動範囲が規制され、連結部２９６がその回動範囲の一端にある状態を例示する。つまり、この具体例の場合、連結部２９６は、図１７に表した状態から矢印Ｒの方向にのみ回動が可能とされている。ここで、一点鎖線Ａは、本体部２００を隠蔽パネル５００に取り付ける際の着脱方向を表す。そして、本具体例においては、ストッパ２９８により連結部２９６が回動範囲の一端にある状態において、連結部２９６の接続方向２９６Ｓが、着脱方向Ａと平行ではなく、角度θだけ横方向に傾斜している。このようにすると、本体部２００を隠蔽パネル５００の凹部５３０に挿入する際に、連結部２９６を矢印Ｒの方向に確実に回動させ、横方向に向けることができる。
【００３０】
すなわち、仮に連結部２９６の接続方向２９６Ｓが着脱方向Ａと平行または、着脱方向Ａよりも内側（図１７において向かって左側）に傾斜しているとすると、本体部２００を隠蔽パネル５００の凹部５３０に挿入し、連結部２９６またはこれに接続された給水配管２９５が隠蔽パネル５００の背後の障害物９００（図５及び図６参照）に当接した時に、連結部２９６に対して矢印Ｒとは反対の方向に回動させようとする力が作用する。その結果として、連結部２９６は矢印Ｒの方向に回動できず、連結部２９６や給水配管２９５が障害物９００にあたって取付の邪魔となることがある。
【００３１】
これに対して、本具体例においては、連結部２９６を着脱方向Ａからみて、予め回動方向Ｒに向けて接続方向２９６Ｓを少し傾斜させておくことにより、連結部２９６の回動を確実に開始させ、衛生洗浄装置１００の取付を円滑に実施することができる。本発明者の検討によれば、例えば連結部２９６の傾斜角度θとして、５度程度の傾斜角度を与えることにより、衛生洗浄装置１００の取付を常に安定して円滑に実行することができる。
【００３２】
図１８は、連結部２９６の内部に形成される流路を例示する模式図である。  
衛生洗浄装置１００が取り付けられるトイレユニットが、例えば真空式の便器を備える場合、衛生洗浄装置１００の水路に残留した水を抜く際に、便器に排出することが適当ではないことがある。すなわち、真空式の便器の場合、便器に設けられた排水弁を開かないと排水が実行されない。このため、衛生洗浄装置１００からの排水を便器に排出する場合には、これに連動して便器の排水弁を開く必要がある。しかし、衛生洗浄装置１００の水抜きを常に便器の排水弁の開放動作と連動させることは容易ではない。
【００３３】
このような場合に、衛生洗浄装置１００の水抜きを給水側に実行するとよい。例えば、航空機などの場合、フライトが終わり駐機する際には、機内の貯水タンクから給水配管に至る経路の水抜きが実施される。この際に、衛生洗浄装置１００の水路に残留した水も給水側に排出できるとよい。
【００３４】
そこで、連結部２９６に形成される水路にも、給水側に向けて排水可能な勾配を設けるとよい。  
図１８（ａ）に表した具体例の場合、連結部２９６は、略鉛直な回動軸Ｒの回りに回動可能とされ、略水平な流路２９６Ｈを有する。そして、この流路２９６Ｈは、連結部２９６の下流側２９６Ｂ（本体部２００の側）から上流側２９６Ａ（給水配管２９５の側）に向けてテーパ状に流路が拡開した形状を有する。このようにすれば、上流側２９６Ａに向けて落下する水勾配が形成され、給水配管２９５に向けて水抜きが促進される。
【００３５】
図１８（ｂ）に表した具体例の場合、略水平の流路２９６Ｈの中心軸Ｃ２は、この部分の連結部２９６の中心軸Ｃ１よりも上流側２９６Ａに向けて落下するように傾斜している。つまり、流路２９６Ｈには、上流側２９６Ａに向けて落下する水勾配が形成され、給水配管２９５に向けて水抜きが促進される。
【００３６】
図１８（ｃ）に表した具体例の場合、略水平の流路２９６Ｈの中心軸Ｃと、この部分の連結部２９６の中心軸Ｃとが一致し、上流側２９６Ａに向けて落下するように傾斜している。このようにしても、流路２９６Ｈには、上流側２９６Ａに向けて落下する水勾配が形成され、給水配管２９５に向けて水抜きが促進される。
【００３７】
以上、具体例を参照しつつ、本発明の実施の形態について説明した。しかし、本発明は、これらの具体例に限定されるものではない。例えば、図１乃至図１８に関して前述した各具体例が有する特徴は、技術的に可能な範囲において適宜組み合わせることができ、これらも本発明の範囲に包含される。  
また、衛生洗浄装置の構造や、その動作の内容についても、図１乃至図１８に関して前述したものには限定されず、当業者が適宜設計変更することにより本発明を同様に実施し、同様の効果を得ることができるものも本発明の要旨を含む限り、本発明の範囲に包含される。例えば、吐水ノズルは、モータなどの動力により進退するものであってもよく、または水圧により進退するものであってもよい。  
また、本発明は真空式のトイレユニットには限定されず、各種の構造の水洗式のトイレユニットに同様に適用して同様の作用効果が得られる。また、隠蔽パネルは、必ずしも便器まで隠蔽するものでなくてもよく、便器は隠蔽せずに衛生洗浄装置の少なくとも一部のみを隠蔽するものであってもよい。
【００３８】
また、図３、図１０、図１３などにおいては、収納凹部２１２が衛生洗浄装置１００の本体部２００の背面２０４にも露出している具体例を表したが、本発明はこれには限定されない。すなわち、収納凹部２１２は、本体部２００の底面２０２に設けられていればよい。
【図面の簡単な説明】
【００３９】
【図１】本発明の実施の形態にかかる衛生洗浄装置が取り付けられたトイレユニットの模式斜視図である。
【図２】トイレユニットから衛生洗浄装置を取り外した状態を表す模式斜視図である。
【図３】トイレユニットから衛生洗浄装置を取り外した状態を表す模式斜視図である。
【図４】本実施形態の衛生洗浄装置に接続される給水配管が連結される連結部を斜め後方から眺めた模式図である。
【図５】隠蔽パネル５００に衛生洗浄装置１００を取り付ける工程を例示した概念図である。
【図６】隠蔽パネル５００に衛生洗浄装置１００を取り付ける工程を例示した概念図である。
【図７】隠蔽パネル５００の斜視図である。
【図８】隠蔽パネル５００と便器６００とを分離した状態を表す斜視図である。
【図９】隠蔽パネル５００を便器６００に取り付けた状態を表す斜視図である。
【図１０】衛生洗浄装置１００を斜め後方から眺めた模式図である。
【図１１】本実施形態の衛生洗浄装置１００を側面から眺めた模式図である。
【図１２】図１１の一部拡大図である。
【図１３】本実施形態の衛生洗浄装置１００を背面から眺めた模式図である。
【図１４】図１３の一部拡大図である。
【図１５】（ａ）は、本実施形態の衛生洗浄装置１００を上方から眺めた模式図であり、（ｂ）は、本体部２００の内部の一部拡大図である。
【図１６】（ａ）は、本実施形態の衛生洗浄装置１００を上方から眺めた模式図であり、（ｂ）は、本体部２００の内部の一部拡大図である。
【図１７】本体部２００を裏面側から眺めた一部拡大図である。
【図１８】連結部２９６の内部に形成される流路を例示する模式図である。
【符号の説明】
【００４０】
１００ 衛生洗浄装置、１１０ 便座、１２０ 便蓋、２００ 本体部、２０２ 底面、２０４ 背面、２０５ 開口、２０６ 収納部、２０８ 周縁部、２１０ ケースプレート、２１２ 収納凹部、２５０ 給水機構、２６２ 吐水ノズル、２９０ ケースカバー、２９５ 給水配管、２９６ 連結部、２９６Ａ 上流側、２９６Ｂ 下流側、２９６Ｈ 流路、２９８ ストッパ、５００ 隠蔽パネル、５０３ 凹部、５１０ 開口、５１５ 設置面、５２０ 開口、５３０ 凹部、５４０ 挿入穴、５５０ 固定穴、５７０ 開口、６００ 便器、６１０ バキュームブレーカー、６２０ 給水配管、９００ 障害物
【図１】
2008285836.tif 000003
【図２】
2008285836.tif 000004
【図３】
2008285836.tif 000005
【図４】
2008285836.tif 000006
【図５】
2008285836.tif 000007
【図６】
2008285836.tif 000008
【図７】
2008285836.tif 000009
【図８】
2008285836.tif 000010
【図９】
2008285836.tif 000011
【図１０】
2008285836.tif 000012
【図１１】
2008285836.tif 000013
【図１２】
2008285836.tif 000014
【図１３】
2008285836.tif 000015
【図１４】
2008285836.tif 000016
【図１５】
2008285836.tif 000017
【図１６】
2008285836.tif 000018
【図１７】
2008285836.tif 000019
【図１８】
2008285836.tif 000020